(57)【特許請求の範囲】
【請求項１】
中心軸を回転自在に軸支されたプルローラ、前記プルローラの中心軸と平行な固定軸により揺動自在に軸支されたブラケット、及び該ブラケットによって回転自在に軸支されて前記プルローラ周面に対して進退する加圧ローラを有し、前記両ローラ間に紙葉類をニップして正逆両方向へ搬送する第１のローラ群と、
前記第１のローラ群の導入方向下流側に配置され、前記第１のローラ群によって搬送されてきた一枚の紙葉類、又は紙葉類束の導入時には通過を許容する一方で、排出時には重送を阻止する分離機能を発揮する第２のローラ群と、
前記第２のローラ群の導入方向下流側に配置された紙葉類積載部と、
前記ブラケットとは相対回転可能な状態で前記固定軸によって導入方向上流側を揺動自在に軸支され、且つ前記紙葉類積載部から排出される紙葉類の挫屈を防止する挫屈防止片を導入方向下流側に有した挫屈防止ガイド部材と、
前記ブラケットと前記挫屈防止ガイド部材との間に配置されて前記ブラケットを前記プルローラ周面に圧接させる方向へ付勢すると共に、前記挫屈防止ガイド部材の前記挫屈防止片を排出される前記紙葉類の方向へ付勢する弾性部材と、
前記挫屈防止ガイド部材の上下動可能な範囲を規制する規制部材と、
を備えたことを特徴とする紙葉類給送機構。
【請求項２】
一枚の紙幣、又は複数枚の紙幣を一括して出入れ自在に収容するスイッチバック還流式の紙幣収納装置であって、請求項１に記載の紙葉類給送機構を備えたことを特徴とする還流式紙幣収納装置。
【請求項３】
金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納装置と、該搬送経路と接続されて第２の金種に係る第２の紙幣を出入れ自在に収容するスイッチバック還流式の第２の紙幣収納装置と、該搬送経路を経由して搬送されてきた紙幣を一枚ずつ受け入れて積載すると共に積載した紙幣束を一括して該搬送経路に送出する一時保留部と、これらを制御する制御手段と、を備えた紙幣処理装置であって、
前記制御手段は、前記第１の紙幣収納装置内の第１の紙幣を一枚ずつ送出して前記一時保留部に所定枚数積載させた後で、該一時保留部内の第１の紙幣束を前記第２の紙幣収納装置内に一括搬送する動作を繰り返すことにより、前記第１の紙幣収納装置内に収容された全ての第１の紙幣を前記第２の紙幣収納装置に移送するように制御し、
前記第２の紙幣収納装置として、請求項２に記載の還流式紙幣収納装置を使用したことを特徴とする紙幣処理装置。
【請求項４】
請求項３に記載の紙幣処理装置を備えたことを特徴とする紙幣取扱装置。
【発明の詳細な説明】
【技術分野】
【０００１】
本発明は例えば紙幣を入出金する機能を備えた各種自動販売機、入出金装置、両替機等の紙幣取扱装置に装備される還流式紙幣処理装置の改良に関し、詳細には還流式紙幣処理装置に装備される紙葉類給送機構の改良に関するものである。
【背景技術】
【０００２】
投入された紙幣を受け入れる入金機能や、釣り銭や払出し金として紙幣を払出す出金機能を備えた紙幣処理装置は各種自動販売機、入出金装置、両替機等に装備されており、この紙幣処理装置には始業時に準備した紙幣、或いは稼働中に投入された紙幣を金種別に保管するための紙幣収納装置が装備されている。
この種の紙幣処理装置において、終業時等に装置本体内に残った全ての紙幣を回収する際に、金種別の紙幣収納装置内に夫々収容された紙幣束を機外に個別に取り出すとすれば、全ての紙幣収納装置をカセット式に構成して機外に出入れ自在にする必要があるが、このように構成すると紙幣収納装置の大型化を招くばかりでなく、回収作業が繁雑化する。
上記の如き不具合に対処するために、従来例えば千円紙幣、五千円紙幣、及び一万円紙幣を取り扱う還流式紙幣処理装置において、各紙幣の金種毎に対応する還流式紙幣収納装置を備え、且つ、紙幣の補充・回収のための紙幣アクセスを行う機能を千円紙幣収納装置に担わせたものがある。
なお、還流式の紙幣収納装置とは、始業時に予め収納しておいた紙幣のみならず、装置の稼働中に利用者が投入した紙幣を一旦収納する一方で、この紙幣を釣銭とするために外部へ排出する機能を備えたタイプの紙幣収納装置を指称する。また、還流式の紙幣収納装置にはループ方式とスイッチバック方式がある。ループ方式は紙幣の入口（受入れ方向）と出口（繰出し方向）を異ならせた方式であり、スイッチバック方式とは同じ出入り口から紙幣の受け入れと繰出しを行う方式である。
【０００３】
図４は従来例に係るスイッチバック方式の還流式紙幣処理装置の構成を示す図である。
紙幣処理装置１０１は、還流式の紙幣処理機構１０２と、この紙幣処理機構１０２を内部に収容する外装体１０３と、から概略構成されている。
紙幣処理機構１０２は、金種の異なる紙幣を複数枚一括して、又は一枚ずつ受入れ可能な入金取込部１０４と、入金取込部１０４から受け入れられた紙幣を装置内に搬送する搬送経路１０５と、搬送経路１０５に沿って紙幣を搬送するローラ、ベルト、ゲート、及びこれらを駆動するモータ、ソレノイドから成る搬送機構１１０と、紙幣の真贋、金種を判定する識別装置１１５と、第１の金種（例えば、１万円紙幣）に係る第１の紙幣を出入れ自在に収容するスイッチバック還流式の第１の紙幣収納装置１２０と、第２の金種に係る第２の紙幣（例えば、千円紙幣）を出入れ自在に収容するスイッチバック還流式の第２の紙幣収納装置１２５と、搬送されてきた紙幣を一枚ずつ受け入れて積載すると共に積載した紙幣束を一括して排出する一時保留部１３０と、釣銭としての紙幣を装置外に排出する出金保留部１３５と、これらを制御する制御手段１４０と、を備えている。
【０００４】
搬送機構１１０は、入金取込部１０４から一枚ずつ給送された紙幣を所定のルートにて搬送することにより金種別に第１、又は第２の紙幣収納装置１２０、１２５に送り込む仕分け搬送機能と、第１、又は第２の紙幣収納装置１２０、１２５から一枚ずつ繰り出されてきた紙幣を一時保留部１３０内に順次搬送して積載させる機能と、一時保留部１３０から繰り出されてきた紙幣束を搬送経路１０５を経由して回収用の収納装置を兼ねた第２の紙幣収納装置１２５に一括して送り込む一括搬送機能と、を併有している。
第２の紙幣収納装置１２５はカセット式に着脱自在に構成されており、第２の紙幣収納装置１２５を取出し、収納された紙幣を回収できるように構成されている。
終業時における紙幣回収作業において、作業者が所定の回収スイッチを操作することにより、第１の紙幣収納装置１２０内の一万円紙幣を一枚ずつ搬送経路１０５に送出して搬送機構１１０によって高速搬送することにより一時保留部１３０に所定枚数（例えば、１５枚）積載させた後で、一時保留部内の１５枚の一万円紙幣束を第２の紙幣収納装置１２５内に一括搬送する動作を繰り返すことにより、第１の紙幣収納装置１２０内に収容された全ての一万円紙幣を第２の紙幣収納装置１２５に移送する。
第２の紙幣収納装置１２５は回収紙幣収納部として兼用されており、終業時に第２の紙幣収納装置１２５内に第１及び第２の紙幣を全て回収することにより、一括した回収作業を実施することが可能となる。
【０００５】
次に、図５（ａ）及び（ｂ）は還流式の第２の紙幣収納装置に装備された紙幣給送機構の具体的構成を示す正面図、及び要部斜視図である。
この紙幣給送機構１５０は、中心軸１５２ａを回転自在に軸支された駆動側ローラとしてのプルローラ１５２、及びプルローラ１５２の中心軸１５２ａと平行な固定軸１５５ａに軸支されたブラケット１５５によって回転自在に軸支されてプルローラ周面に対して進退する従動ローラとしての加圧ローラ１５６から成り、両ローラ１５２、１５６のニップ部にて紙葉類を導入方向及び排出方向へ搬送する第１のローラ群１５１と、第１のローラ群１５１によって導入方向へ搬送されてきた紙葉類（束）の通過を許容する一方で、下流側に位置する紙幣積載部１２６から搬送経路へ紙幣が排出される際には重送を防止するための分離ローラとして機能する摩擦ローラ１６１、及びストップローラ１６２とから成る第２のローラ群１６０と、ブラケット１５５と一体化され且つ固定軸１５５ａによって揺動自在に軸支された挫屈防止ガイド部材１６５と、第２の紙幣収納装置１２５の筐体１２７（固定部）によって一端を支持され他端をブラケット１５５に当接して常時ブラケット１５５及び挫屈防止ガイド部材１６５を一方向に付勢する弾性部材１７０と、を有する。
【０００６】
また、第１、及び第２のローラ群を通過してきた紙幣（束）は、下流側に位置する紙幣積載部１２６内の図示しない紙幣積載台上に積載される。積載台上の紙幣束の最上面から一枚ずつ排出する際には図示しない搬送ローラが排出方向へ回転して摩擦ローラ１６１、及びストップローラ１６２のニップ部へ移送する。摩擦ローラ１６１、及びストップローラ１６２は重送されようとする紙幣を分離して一枚だけを排出方向へ搬送する。
常時においてはブラケット１５５及び挫屈防止ガイド部材１６５は弾性部材１７０によって一方向Ａへ付勢されているため、加圧ローラ１５６はプルローラ１５２の周面に圧接されており、このとき、固定軸１５５ａを介して反対側に配置された挫屈防止ガイド部材１６５の挫屈防止片１６６はその下縁と搬送ガイドとの間隔が所定の寸法になるよう設定されている。第２の紙幣収納装置１２５内の紙幣積載台上に積載された紙幣束の最上部から一枚ずつ搬送経路へ排出する際における紙幣の挫屈を防止するためには挫屈防止片１６６の下縁と紙幣排出ライン（排出される紙幣の上面）との隙間、即ち、搬送ガイドとの間隔を適当な狭さになるように規制することが好ましい。
【０００７】
搬送経路から第１のローラ群１５１のニップ部に紙幣束が導入されてくると、弾性部材１７０に抗して加圧ローラ１５６はプルローラ１５２から離間する方向Ｂへ回動するため、ブラケット１５５と一体化された挫屈防止ガイド部材の挫屈防止片１６６は矢印Ａとは逆のＢ方向へ回動する。つまり、紙幣束導入時に挫屈防止片１６６は紙幣束の導入経路を狭める方向に回動し、導入される紙幣束に干渉して紙幣束通過の抵抗となり、紙幣束のスムーズな通過が阻害される。このような不具合に対処するため、紙幣堆積台上の紙幣束から一枚ずつ紙幣を排出する際にも、挫屈防止片１６６の下縁と紙幣排出ラインとの間に必要以上の間隔を確保しておく必要が生じる。このため、挫屈防止効果が低下する虞があった。
また、弾性部材１７０の一端を第２の紙幣収納装置１２５の筐体１２７によって支持する必要があったため、これがレイアウト上の制限となっていた。
なお、このような不具合は紙幣以外の紙葉類を取り扱う紙葉類取扱装置においても発生し得る。
【特許文献１】特願２００６−３０７０５２公報
【発明の開示】
【発明が解決しようとする課題】
【０００８】
以上のように還流式紙幣収納装置内に収納した紙幣を一枚ずつ排出する際に重送を防止する分離ローラ対と、分離ローラ対による紙幣排出ラインに近接配置されることによって紙幣の挫屈を防止する挫屈防止ガイド部材と、分離ローラ対の上流側に配置されたプルローラに対して進退自在に構成された加圧ローラを軸支するブラケットと、を備えた従来の紙幣給送機構にあっては、挫屈防止ガイド部材とブラケットとが一体化された状態で一方向へ弾性付勢されていたため、厚い紙幣束を導入する際に加圧ローラがプルローラから大きく離間することにより挫屈防止ガイド部材が紙幣排出ラインに干渉し過ぎる虞があった。一方、挫屈防止ガイド部材が紙幣排出ラインに干渉し過ぎないように両者の間隔を広く確保するとすれば、紙幣を外部へ排出する際には分離ローラ対のニップ部に沿った紙幣排出ラインと挫屈防止ガイド部材との隙間は可能な限り狭くすべきであるという要請に反し、挫屈防止効果が低下するという二率背反の問題が生じる。
本発明は上記に鑑みてなされたものであり、厚い紙幣束を導入する際に加圧ローラがプルローラから大きく離間したとしても、挫屈防止ガイド部材の位置に変化を生じさせないことにより、挫屈防止ガイド部材と紙幣排出ラインとの間の間隔を必要最小限に押さえて挫屈防止効果を効果的に発揮させることができる紙葉類給送機構、還流式紙幣収納装置、紙幣処理装置、及び紙幣取扱装置を提供することを目的としている。
【課題を解決するための手段】
【０００９】
上記目的を達成するため、請求項１の発明に係る紙葉類給送機構は、中心軸を回転自在に軸支されたプルローラ、前記プルローラの中心軸と平行な固定軸により揺動自在に軸支されたブラケット、及び該ブラケットによって回転自在に軸支されて前記プルローラ周面に対して進退する加圧ローラを有し、前記両ローラ間に紙葉類をニップして正逆両方向へ搬送する第１のローラ群と、第１のローラ群の導入方向下流側に配置され、前記第１のローラ群によって搬送されてきた一枚の紙葉類、又は紙葉類束の導入時には通過を許容する一方で、排出時には重送を阻止する分離機能を発揮する第２のローラ群と、前記第２のローラ群の導入方向下流側に配置された紙葉類積載部と、前記ブラケットとは相対回転可能な状態で前記固定軸によって導入方向上流側を揺動自在に軸支され、且つ前記紙葉類積載部から排出される紙葉類の挫屈を防止する挫屈防止片を導入方向下流側に有した挫屈防止ガイド部材と、前記ブラケットと前記挫屈防止ガイド部材との間に配置されて前記ブラケットを前記プルローラ周面に圧接させる方向へ付勢すると共に、前記挫屈防止ガイド部材の前記挫屈防止片を排出される前記紙葉類の方向へ付勢する弾性部材と、前記挫屈防止ガイド部材の上下動可能な範囲を規制する規制部材と、を備えたことを特徴とする。
一枚ずつ、或いは束状態となった紙葉類を紙葉類積載部に導入する機能と、紙葉類積載部上の紙葉類を一枚ずつ分離しながら排出機能を併有した従来の紙葉類給送機構においては、紙葉類束を導入する場合には上流側に位置する第１のローラ群を構成する加圧ローラがプルローラから離間するが、この際に下流側に配置した挫屈防止ガイド部材が加圧ローラを支持するブラケットと連動して紙葉類排出ラインに干渉するため、導入されようとする紙葉類束に対する抵抗となってスムーズな導入が困難となっていた。そのような不具合に対処するために、挫屈防止ガイド部材と紙葉類排出ラインとの間隔を過大に設定しておくと、第２のローラ群を構成する分離ローラ対によって排出紙幣を分離する際における挫屈防止効果が減殺される。本発明では、加圧ローラを支持するブラケットと挫屈防止ガイド部材を独立別個に動作するように構成すると共に、ブラケットと挫屈防止ガイド部材間に配置された弾性部材によって拡開方向への付勢力を作用させることにより紙葉類束導入時と紙幣排出時における各不具合を一挙に解決することができる。また、弾性部材を装置本体側の固定部に支持する必要がないため、レイアウト自由度を高めることができる。
【００１０】
請求項２の発明に係る還流式紙幣収納装置は、一枚の紙幣、又は複数枚の紙幣を一括して出入れ自在に収容するスイッチバック還流式の紙幣収納装置であって、請求項１に記載の紙葉類給送機構を備えたことを特徴とする。
請求項３の発明に係る紙幣処理装置は、金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納装置と、該搬送経路と接続されて第２の金種に係る第２の紙幣を出入れ自在に収容するスイッチバック還流式の第２の紙幣収納装置と、該搬送経路を経由して搬送されてきた紙幣を一枚ずつ受け入れて積載すると共に積載した紙幣束を一括して該搬送経路に送出する一時保留部と、これらを制御する制御手段と、を備えた還流式紙幣処理装置であって、前記制御手段は、前記第１の紙幣収納装置内の第１の紙幣を一枚ずつ送出して前記一時保留部に所定枚数積載させた後で、該一時保留部内の第１の紙幣束を前記第２の紙幣収納装置内に一括搬送する動作を繰り返すことにより、前記第１の紙幣収納装置内に収容された全ての第１の紙幣を前記第２の紙幣収納装置に移送するように制御し、前記第２の紙幣収納装置として、請求項２に記載の還流式紙幣処理装置を使用したことを特徴とする。
紙幣処理装置とは、投入された紙幣を受け入れる入金機能や、釣り銭や払出し金として紙幣を払出す出金機能を備えたものを指称する。
請求項４の発明に係る紙幣取扱装置は、請求項３に記載の紙幣処理装置を備えたことを特徴とする。
紙幣取扱装置とは、例えば各種自動販売機、入出金装置、両替機等を指称する。
【発明の効果】
【００１１】
本発明では、加圧ローラを支持するブラケットと挫屈防止ガイド部材とを独立別個に動作するように構成すると共に、ブラケットと挫屈防止ガイド部材間に配置された弾性部材によって拡開方向への付勢力を作用させることにより紙葉類束導入時の不具合（紙葉類束導入時に加圧ローラと連動して動作する挫屈防止ガイド部材が紙葉類排紙ラインに干渉して紙葉類束の導入に対する障害となる不具合）と、紙幣排出時における各不具合（紙葉類を排出する際に挫屈防止ガイド部材が排出ラインから離間しているために挫屈防止効果が低下する不具合）を一挙に解決することができる。また、弾性部材を装置本体側の固定部に支持する必要がないため、レイアウト自由度を高めることができる。
【発明を実施するための最良の形態】
【００１２】
以下、本発明を図面に示した実施の形態により詳細に説明する。
図１は本発明の一実施形態に係る還流式紙幣処理装置の概略構成図である。
この紙幣処理装置１は、例えば食券等の自動販売機（券売機）に装備されて紙幣の受け入れ、釣銭等としての紙幣の払出しの処理を行う機能を有する。
紙幣処理装置１は、還流式の紙幣処理機構２と、この紙幣処理機構２を内部に収容する外装体３と、から概略構成されている。
紙幣処理機構２は、金種の異なる紙幣を複数枚一括して、又は一枚ずつ受入れ可能な入金取込部４と、入金取込部４から受け入れられた紙幣を装置内に搬送する搬送経路５と、搬送経路５に沿って紙幣を搬送するローラ、ベルト、ゲート、及びこれらを駆動するモータ、ソレノイドから成る紙幣搬送機構１０と、入金取込部４の直下流側の紙幣搬送経路上に配置されて一枚ずつ給送されてくる紙幣の真贋、金種を判定する識別装置１５と、紙幣搬送経路５と接続されて第１の金種に係る第１の紙幣を出入れ自在に収容するスイッチバック還流式の第１の紙幣収納装置２０と、紙幣搬送経路５と接続されて第２の金種に係る第２の紙幣を出入れ自在に収容するスイッチバック還流式の第２の紙幣収納装置２５と、搬送経路５を経由して搬送されてきた紙幣を一枚ずつ受け入れて積載すると共に積載した紙幣束を一括して排出する一時保留部（紙幣保留装置）３０と、釣銭としての紙幣を装置外に排出する出金保留部３５と、これらを制御する制御手段３６と、を備えている。
入金取込部４は一括投入された複数枚の紙幣を一枚ずつに分離しながら搬送経路５に送り出すための分離給送機構を備えている。
【００１３】
搬送機構１０は、入金取込部４から一枚ずつ給送された紙幣を所定のルートにて搬送することにより金種別に第１、又は第２の紙幣収納装置２０、２５に送り込む仕分け搬送機能と、第１、又は第２の紙幣収納装置２０、２５から一枚ずつ繰り出されてきた紙幣を一時保留部３０内に順次搬送して積載させる機能と、一時保留部３０から繰り出されてきた紙幣束を搬送経路５を経由して回収用の収納装置を兼ねた第２の紙幣収納装置２５に一括して送り込む一括搬送機能と、を併有している。制御手段３６からの制御によって各ローラ、ベルト、ゲート１１が駆動されることにより、所定のタイミングにて上記の各搬送機能を実現することができる。
第１の紙幣収納装置２０は、第１の紙幣、例えば一万円紙幣専用であり、搬送経路５を経由して一旦受け入れた一万円紙幣を搬送経路５に一枚ずつ送出する還流機能を有している。
第２の紙幣収納装置２５は、釣銭とした多用される第２の紙幣、例えば千円紙幣専用であり、搬送経路５を経由して一旦受け入れた千円紙幣を搬送経路５に一枚ずつ送出するスイッチバック式の還流機能を有している。
一時保留部（紙幣保留装置）３０は、第１、又は第２の紙幣収納装置２０、２５から一枚ずつ繰り出されてきた紙幣を一枚ずつ受入れて所定の許容枚数だけ積層させる集積機能と、積層された紙幣束を一括して搬送経路に繰り出す一括送出機能を有している。
【００１４】
本実施形態では、例えば第２の紙幣収納装置２５をカセット式に着脱自在（出入れ自在を含む）に構成し、第２の紙幣収納装置２５と対面する外装体３の壁部に設けた図示しないドアを開放することによって第２の紙幣収納装置２５を取出し、収納された紙幣を回収できるように構成されている。
終業時における紙幣回収作業において、作業者が所定の回収スイッチを操作することにより、制御手段３６は次のような制御を行う。即ち、第１の紙幣収納装置２０内の一万円紙幣を一枚ずつ搬送経路５に送出して搬送機構１０によって高速搬送することにより一時保留部３０に所定枚数（例えば、１５枚）積載させた後で、一時保留部内の１５枚の一万円紙幣束を第２の紙幣収納装置２５内に一括搬送する動作を繰り返すことにより、第１の紙幣収納装置２０内に収容された全ての一万円紙幣を第２の紙幣収納装置２５に移送する。一時保留部３０に送り込まれる紙幣の枚数は、搬送経路等の適所に配置した通紙センサによって検知された通過情報にもとづいてカウントされる。
【００１５】
この実施形態では、第２の紙幣収納装置２５を回収紙幣収納装置として兼用しており、終業時に第２の紙幣収納装置２５内に第１及び第２の紙幣を全て回収することにより、一括した回収作業を実施することが可能となる。利用者によって投入される紙幣としては勿論、釣銭として使用される紙幣としても使用頻度の高い千円紙幣を収容する第２の紙幣収納装置２５を紙幣回収用の収納装置として兼用し、且つ一万円紙幣等の使用頻度の低い紙幣をこの第２の紙幣収納装置２５に移送する構成とすることにより、回収時間を短縮することが可能となる。
一時保留部（紙幣保留装置）３０は一枚ずつ高速搬送されてくる紙幣を積層状態で集積させると共に、積層した紙幣束を一括して搬送経路５に送り出すための構成を有しており、送出された紙幣束は第２の紙幣収納装置２５内に一括して送り込まれるため回収効率を大幅に高めることができる。つまり、収納枚数が少ない第１の紙幣収納装置内の一万円紙幣を一時保留部３０に積層して集積した後で紙幣束として一括して第２の紙幣収納装置内に移送するため、一枚ずつ移送する従来装置に比して回収時間が大幅に短縮することが明かである。しかも、専用の回収紙幣収納装置を別設するわけではないから装置の全体サイズを小さくすることができる。
【００１６】
次に、図２（ａ）及び（ｂ）は本発明の一実施形態に係る紙葉類給送機構の構成を示す斜視図、及び正面図であり、図３（ａ）及び（ｂ）は挫屈防止ガイド部材の構成説明を示す正面図、及び平面図である。
この紙葉類給送機構４０は、中心軸４２ａを回転自在に軸支されたプルローラ４２、プルローラの中心軸４２ａと平行な固定軸４４により揺動自在に軸支されたブラケット４３、及びブラケット４３によって回転自在に軸支されてプルローラ４２の周面に対して進退する加圧ローラ４５を有し、両ローラ４２、４５間に紙幣（紙葉類）をニップして正逆両方向へ搬送する第１のローラ群４１と、第１のローラ群４１によって導入方向へ搬送されてきた一枚の紙葉類、又は紙葉類束の導入時には通過を許容する一方で、排出時には重送を阻止する分離機能を発揮する摩擦ローラ５１とストップローラ５２とから成る第２のローラ群５０と、第２のローラ群５０の導入方向下流側に配置された紙葉類積載部２６と、ブラケット４３とは相対回転可能な状態で固定軸４４によって導入方向上流側を揺動自在に軸支され、紙葉類積載部２６から排出される紙葉類の挫屈を防止する挫屈防止片６１を導入方向下流側に有した挫屈防止ガイド部材６０と、ブラケット４３と挫屈防止ガイド部材６０との間に配置されてブラケット４３をプルローラ４２の周面に圧接させる方向へ付勢すると共に、挫屈防止片６１の下縁を搬送ガイド上面側へ付勢する単一の弾性部材７０と、を備えている。
固定軸４４は移動しない固定軸である。また、プルローラ４２の中心軸４２ａとストップローラ５２の軸５２ａも移動しない固定軸である。
【００１７】
ブラケット４３は、固定軸４４を軸孔４３ａ内に挿通して上下方向へ回動自在に軸支されると共に、軸孔４３ａの前方に突設した一対のローラ支持部４３ｂを備え、ローラ支持部４３ｂ間に軸支した軸４５ａによって加圧ローラ４５を回転自在に軸支している。また、ブラケット４３の一部には弾性部材７０の一端を固定するバネ受け部４３ｃを備えている。
挫屈防止ガイド部材６０は、中間部によってブラケット４３を支持した固定軸４４の両外側によって上下方向へ回動自在に軸支される軸孔６０ａと、軸孔６０ａよりも後方へ突出した一対の挫屈防止片６１と、各挫屈防止片６１の上部間を連設する連設片６２と、連設片６２から突設されてブラケット４３に設けたバネ受け部４３ｃに一端を支持された弾性部材の他端を支持するバネ受け部６３と、を有する。
挫屈防止片６１の上方には所定の間隔を隔てて突出片６５が設けられており、挫屈防止片６１とコ字状に配置されている。挫屈防止片６１と突出片６５との間には筐体側に固定された規制部材６６が位置しており、この規制部材６６によって挫屈防止ガイド部材６０の上下動可能な範囲を規制するように構成されている。
【００１８】
常時においては、弾性部材７０による付勢によって突出片６５と規制部材６６とが当接して回転が規制されており、このときの挫屈防止片６１の下縁と搬送ガイドとの間隔が適切な狭さとなるよう設定されている。
外周面に高摩擦部を有した摩擦ローラ５１は紙幣が一枚ずつ排出方向（右方向から左方向）へ搬送される際には時計回り方向へ駆動される。また、摩擦ローラ５１は、図示しない支持部材により上下動自在に支持されることによりストップローラ５２周面に対して進退自在に構成されており、紙幣束が導入方向（左方向から右方向）へ搬送されてくる場合には上方に退避して通過を許容する。また、ストップローラ５２は常時においては小さいトルクで時計回り方向へ回転しており、紙葉類導入時には時計回りに回転して紙葉類の導入を許容する一方で、紙幣排紙時には重送された下側の紙幣を紙幣積載部２６側へ戻すように機能する。具体的には、ストップローラ５２は、回転駆動される軸部材５２ａによって外側のローラ部材５２ｂを支持した構成を備え、軸部材５２ａとローラ部材５２ｂとの間には図示しないワンウェイクラッチが配置されている。軸部材５２ａからの時計回り方向への回転駆動力はワンウェイクラッチを介してローラ部材５２ｂに伝達されてローラ部材５２ｂを同方向へ回転させる。このため、紙幣積載部から排出される重送紙幣のうちの下側の紙幣はローラ部材５２ｂによって紙幣積載部へ戻される。搬送経路から紙幣が導入される場合にはローラ部材５２ｂは時計回り方向へ回転して紙幣の導入を阻害しない。
【００１９】
本発明では、固定軸４４によって上下動自在に支持され且つ加圧ローラを支持する部材であるブラケット４３と、共通の揺動軸４４によって上下動自在に軸支された挫屈防止ガイド部材６０とを相対回転可能に構成し、しかもブラケット４３と挫屈防止ガイド部材６０間に配置した弾性部材７０によってブラケットと挫屈防止ガイド部材を逆方向へ付勢するように構成したので、弾性部材を支持する第２の紙幣収納装置２５側の固定部により支持する必要がなくなり、レイアウト上の制限が低減する。また、プルローラ４２と加圧ローラ４５との間に紙幣束が通過することによって弾性部材７０に抗して加圧ローラ４５が上方に移動したとしても挫屈防止ガイド部材６０はそれに連動して上下動することがなく、挫屈防止片６１の下縁と紙幣排出ラインとの間の距離が必要以上に接近することがない。つまり、導入されてきた紙幣束が両ローラ５１、５２間を通過する際には挫屈防止ガイド部材６０は弾性部材に抗して上方に退避（回動）することができる一方で、排出紙幣が両ローラ５１、５２間を通過する際には挫屈防止片６１を最適位置に保持して紙幣の挫屈を防止しつつガイドすることができる。
【００２０】
以上のように、本発明では、加圧ローラ４５を支持するブラケット４３と挫屈防止ガイド部材６０とを独立別個に動作（相対的に回動）するように構成すると共に、ブラケットと挫屈防止ガイド部材間に配置された弾性部材７０によって拡開方向への付勢力を作用させることにより紙葉類束導入時と紙幣排出時における各不具合（挫屈防止ガイド部材による紙幣排出ラインへの干渉と、それを防止するための挫屈防止機能の低下）を一挙に解決することができる。また、弾性部材を装置本体側の固定部に支持する必要がないため、レイアウト自由度を高めることができる。
なお、本発明は紙幣のみならず他の紙葉類を処理する還流式紙葉類処理装置に適用することができる。また、この還流式紙葉類処理装置は、各種自動販売機、入出金装置、両替機等の紙幣取扱装置に適用することができる。
【図面の簡単な説明】
【００２１】
【図１】本発明の一実施形態に係る還流式紙幣処理装置の概略構成図である。
【図２】（ａ）及び（ｂ）は本発明の一実施形態に係る紙葉類給送機構の構成を示す斜視図、及び正面図である。
【図３】（ａ）及び（ｂ）は挫屈防止ガイド部材の構成説明を示す正面図、及び平面図である。
【図４】従来例に係るスイッチバック方式の還流式紙幣処理装置の構成を示す図である。
【図５】（ａ）及び（ｂ）は還流式の第２の紙幣収納装置に装備された紙幣給送機構（紙葉類給送機構）の具体的構成を示す正面図、及び要部斜視図である。
【符号の説明】
【００２２】
１…紙幣処理装置、２…紙幣処理機構、３…外装体、４…入金取込部、５…紙幣搬送経路、１０…紙幣搬送機構、１１…ゲート、１５…識別装置、２０、２５…紙幣収納装置、２６…紙幣積載部、３０…一時保留部、３５…出金保留部、３６…制御手段、４０…紙葉類給送機構、４１…第１のローラ群、４２…プルローラ、４２ａ…中心軸、４３…ブラケット、４３ａ…軸孔、４３ｂ…ローラ支持部、４４…固定軸、４５…加圧ローラ、４５ａ…軸、５０…第２のローラ群、５１…摩擦ローラ、５２…ストップローラ、６０…挫屈防止ガイド部材、６１…挫屈防止片、６２…連設片、６３…バネ受け部、７０…弾性部材
【図１】
0005176041.tif 000002
【図２】
0005176041.tif 000003
【図３】
0005176041.tif 000004
【図４】
0005176041.tif 000005
【図５】
0005176041.tif 000006